(57)【要約】【課題】涙道チューブ単体を安定に保持できる保持台紙を実現する。【解決手段】本発明の涙道チューブ保持台紙（１０）は、涙道チューブ（１）の１対の管状部（１１）が互いに対向し、かつ離間して挿通され、シート部材（２）の載置面（２１）から突出した空洞部（２２）と、載置面（２１）に涙道チューブ（１）の接続部（１２）を支持する支持タブ（２３）と、を備えた構成である。【選択図】図１
2019126671.tif 000002
【特許請求の範囲】
【請求項１】
１対の管状部と前記管状部同士を接続する接続部とを備えた涙道チューブを載置する載置面を有し、
前記１対の管状部が互いに対向し、かつ離間して挿通され、前記載置面から突出した空洞部と、
前記載置面に前記接続部を支持する支持部と、を備えた、涙道チューブ保持台紙。
【請求項２】
前記空洞部は、前記１対の管状部それぞれが挿通するように、少なくとも２つ設けられていることを特徴とする請求項１に記載の涙道チューブ保持台紙。
【請求項３】
シート部材により構成されており、
前記空洞部は、前記シート部材の折り込み部によって構成されていることを特徴とする請求項１または２に記載の涙道チューブ保持台紙。
【請求項４】
前記折り込み部は、前記シート部材の中央側へ折り込まれた構成であることを特徴とする請求項３に記載の涙道チューブ保持台紙。
【請求項５】
シート部材により構成されており、
前記支持部は、前記シート部材の切込み部を有するタブであることを特徴とする請求項１〜４の何れか１項に記載の涙道チューブ保持台紙。
【請求項６】
前記空洞部は、３角柱形状であることを特徴とする請求項１〜５の何れか１項に記載の涙道チューブ保持台紙。
【請求項７】
前記空洞部は、前記１対の管状部における前記接続部側の開口を避けて覆うように形成されていることを特徴とする請求項１〜６の何れか１項に記載の涙道チューブ保持台紙。
【発明の詳細な説明】
【技術分野】
【０００１】
本発明は涙道チューブ保持台紙に関する。
【背景技術】
【０００２】
例えば特許文献１及び２に開示されるように、従来の涙道チューブは、管状部にブジーを挿入して操作されていた。このため、涙道チューブの保持台紙は、涙道チューブとブジーとを組み合わせたものを保持するのに最適化されていた。具体的には、従来の涙道チューブ保持台紙は、涙道チューブの管状部に挿入されたブジーを支持するタブが形成されていた。
【先行技術文献】
【特許文献】
【０００３】
【特許文献１】特開2011-200600号公報
【特許文献２】特開2011-200601号公報
【発明の概要】
【発明が解決しようとする課題】
【０００４】
近年、涙道チューブは、ブジーと組み合わせた従来の使用に加え、例えば管状部に医療用ＣＣＤカメラを有する内視鏡等を挿入して使用されている。このため、涙道チューブとブジーとを組み合わせたものではなく、涙道チューブ単体を安定に保持できる保持台紙が要望されていた。
【０００５】
本発明の一態様は、涙道チューブ単体を安定に保持できる保持台紙を提供することを目的とする。
【課題を解決するための手段】
【０００６】
上記の課題を解決するために、本発明の一態様に係る涙道チューブ保持台紙は、１対の管状部と前記管状部同士を接続する接続部とを備えた涙道チューブを載置する載置面を有し、前記１対の管状部が互いに対向し、かつ離間して挿通され、前記載置面から突出した空洞部と、前記載置面に前記接続部を支持する支持部と、を備えた構成である。
【０００７】
上記の構成によれば、涙道チューブ保持台紙の載置面上で、涙道チューブは、１対の管状部が互いに対向し、かつ離間した状態で前記空洞部に挿通されるとともに、１対の管状部を接続する接続部が前記支持部により支持されている。すなわち、涙道チューブは、保持台紙上で、通常使用されるＵ字形状で曲げぐせがついた状態で保持されている。それゆえ、本願発明の涙道チューブ保持台紙を用いれば、涙道チューブを使いやすくすることができる。
【０００８】
また、上記の構成によれば、前記空洞部は、涙道チューブを載置する載置面から突出している。このため、保持台紙を重ねても、空洞部がスペーサとなって、載置面間に隙間が生じる。また、積み重なった保持台紙の荷重は、涙道チューブの管状部ではなく、空洞部にかかる。それゆえ、保持台紙を積み重ねても、涙道チューブは、管状部の内腔が潰れることなく安定に保持される。
【０００９】
以上のことから、上記の構成によれば、涙道チューブ単体を安定に保持できる。
【００１０】
本発明の一態様に係る涙道チューブ保持台紙は、前記空洞部は、前記１対の管状部それぞれが挿通するように、少なくとも２つ設けられている構成であることが好ましい。これにより、涙道チューブの２つの管状部が互いに対向した状態を安定に保持できる。
【００１１】
本発明の一態様に係る涙道チューブ保持台紙は、シート部材により構成されており、前記空洞部は、前記シート部材の折り込み部によって構成されていることが好ましい。
【００１２】
上記の構成によれば、１枚のシート部材の折り込み部から空洞部を形成することができ、涙道チューブ保持台紙の製造が容易になる。
【００１３】
また本発明の一態様に係る涙道チューブ保持台紙は、前記折り込み部は、前記シート部材の中央側へ折り込まれた構成であることが好ましい。
【００１４】
上記の構成によれば、前記空洞部間の間隔を適正な位置に設定することにより、涙道チューブを適正なＵ字形状に保持できる。
【００１５】
また、本発明の一態様に係る涙道チューブ保持台紙は、シート部材により構成されており、前記支持部は、前記シート部材の切込み部を有するタブであることが好ましい。
【００１６】
上記の構成によれば、１枚のシート部材の切込み部から前記支持部を形成することができ、涙道チューブ保持台紙の製造が容易になる。
【００１７】
また、本発明の一態様に係る涙道チューブ保持台紙は、前記空洞部は、３角柱形状であることが好ましい。これにより、空洞部の強度が向上する。
【００１８】
本発明の一態様に係る涙道チューブ保持台紙は、前記空洞部は、前記１対の管状部における前記接続部側の開口を避けて覆うように形成されていることが好ましい。
【００１９】
上記の構成によれば、涙道チューブは、涙道チューブ保持台紙上で、管状部の前記開口が露出した状態で保持されることになる。それゆえ、使用者は、涙道チューブ保持台紙に保持された状態で、例えば涙道チューブの前記開口へ内視鏡を挿入することが可能になる。したがって、上記の構成によれば、使用者の利便性が向上する。
【発明の効果】
【００２０】
本発明の一態様によれば、涙道チューブ単体を安定に保持できるという効果を奏する。
【図面の簡単な説明】
【００２１】
【図１】本発明の実施形態に係る涙道チューブ保持台紙の概略構成を示す斜視図である。
【図２】図１に示す涙道チューブ保持台紙１に保持される涙道チューブの概略構成を示す上面図である。
【図３】図１に示す涙道チューブ保持台紙の展開図である。
【図４】図１中のＸ−Ｘ線断面図である。
【図５】変形例１の涙道チューブ保持台紙の概略構成を示し、（ａ）は斜視図であり、（ｂ）は（ａ）のＹ−Ｙ線断面図である。
【図６】変形例２の涙道チューブ保持台紙の概略構成を示し、（ａ）は斜視図であり、（ｂ）は袋体内部の台紙の概略構成を示す側面図である。
【発明を実施するための形態】
【００２２】
以下、本発明の一実施形態について、詳細に説明する。図１は、本実施形態に係る涙道チューブ保持台紙１０の概略構成を示す斜視図である。図２は、涙道チューブ保持台紙１０に保持される涙道チューブ１の概略構成を示す上面図である。図３は、涙道チューブ保持台紙１０の展開図である。図４は、図１中のＸ−Ｘ線断面図である。
【００２３】
涙道チューブ保持台紙１０（以下、台紙１０と記す）は、シート部材２から構成されており、涙道チューブ１を搭載する載置面２１を有する。台紙１０は、涙道チューブ１を保持した状態で、例えば袋体などの包装体に、涙道チューブ１ごと収納される。
【００２４】
シート部材２の構成材料としては、特に限定されないが、例えば、上質紙、中質紙、クラフト紙、片艶クラフト紙、更クラフト紙、表面コート紙等の種々の紙材が挙げられる。また、シート部材２は、このような紙材が複数枚積層された構成であってもよい。
【００２５】
載置面２１には、２つの対向する空洞部２２及び支持タブ２３（支持部）が設けられている。空洞部２２は、シート部材２の載置面２１から突出して設けられている。なお、シート部材２の載置面２１において、２つの空洞部２２に対して支持タブ２３側を上側とし、反対側を下側とする。そして、上側から下側へ向かう方向を上下方向としたとき、当該上下方向に対して垂直な方向を幅方向とする。
【００２６】
支持タブ２３は、上下方向において、２つの空洞部２２の上側に配置されている。また、幅方向において、支持タブ２３は、２つの空洞部２２間に配置されている。一方の空洞部２２と支持タブ２３との距離は、他方の空洞部２２と支持タブ２３との距離と同じになっている。
【００２７】
図２に示さるように、涙道チューブ１は、１対の管状部１１・１１と、管状部１１・１１同士を接続する接続部１２と、を備えている。
【００２８】
涙道チューブ１は、涙道閉塞の治療に使用される涙道内挿管器具である。この涙道チューブ１は、涙道内の涙液の流路の維持と涙道組織の再建を図るために、涙道内に留置される。涙道チューブ１は、接続部１２にて湾曲したＵ字形状の状態にて使用される。
【００２９】
管状部１１は、主に、涙嚢、鼻涙管、Hanser valve、下鼻道に留置される部分である。また、接続部１２は、主に、涙点、涙小管、総涙小管、涙嚢に留置される部分である。なお、接続部１２は、中空の管状であってもよいし、中実のロット状であってもよい。
【００３０】
管状部１１における接続部１２側端部には、開口１１ａが形成されている。一方、管状部１１における接続部１２と反対側の端部１１ｂは、涙道チューブ１の末端に相当し、開口が形成されていない。また、涙道チューブ１には、接続部１２に印１３が付けられている。印１３は、Ｕ字状の涙道チューブ１を一直線にしたときの中央部Ｃに付けられている。この印１３により、涙道チューブ１を涙道内の適切な位置に留置することができる。なお、印１３は、中央部Ｃに限らず、涙道チューブ１を涙道内の適切な位置に留置するために基準となる印であれば、どのような位置に付けられていてもよい。なお、涙道チューブ１は、図２に示された構成に限定されない。例えば、端部１１ｂには、開口が形成されていてもよい。また、涙道チューブ１は、印１３が全く付けられていない構成であってもよい。
【００３１】
従来、涙道チューブ１は、開口１１ａに涙道ブジーが挿入された状態で保持用台紙に保持されていた。そして、使用者は、涙道ブジーを操作することによって、涙道チューブ１を涙道内の適切な位置に留置していた。近年、開口１１ａからＣＣＤカメラを有する内視鏡等を挿入して涙道チューブ１を操作するといった、涙道ブジーとの組み合わせ以外の涙道チューブ１の使用が提案されている。このため、涙道ブジーと組み合わせない、涙道チューブ１単体を保持する台紙が要望されていた。本実施形態に係る台紙１０は、涙道チューブ１単体を保持する台紙である。このような台紙１０は、通常、１つの滅菌袋内に複数枚重ねられて収納された状態または１枚の台紙が収納された滅菌袋が複数枚重ねられた状態（以下、これらの状態を単に「積み重ね状態」と称する）で滅菌処理（加熱処理）された後使用される。
【００３２】
図１に示されるように、２つの空洞部２２それぞれに、涙道チューブ１の管状部１１が挿通している。また、支持タブ２３は、涙道チューブ１の接続部１２が支持されている。このように２つの空洞部２２及び支持タブ２３によって涙道チューブ１が保持されることにより、涙道チューブ１は、滅菌処理後、台紙１０上で、通常使用されるＵ字形状で曲げぐせがついた状態で保持されている。それゆえ、本実施形態に係る台紙１０を用いれば、涙道チューブ１を使いやすくすることができる。
【００３３】
また、空洞部２２は、涙道チューブ１を載置する載置面２１から突出している。このため、滅菌処理時に台紙１０が積み重ね状態になっても、空洞部２２がスペーサとなって、載置面２１間に隙間が生じる。また、積み重ね状態の台紙１０の荷重は、涙道チューブ１の管状部１１ではなく、空洞部２２にかかる。それゆえ、台紙１０が積み重ね状態になっても、涙道チューブ１は、管状部１１の内腔が潰れることなく安定に保持される。
【００３４】
したがって、台紙１０は、涙道チューブ１単体を安定に保持できる。
【００３５】
空洞部２２の数は、涙道チューブ１における２つの管状部１１・１１が互いに対向するように挿通可能であれば、特に限定されない。例えば、空洞部２２の数が１つであり、この１つの空洞部２２に２つの管状部１１・１１が挿通した構成であってもよい。ただし、２つの管状部１１・１１が互いに対向した状態を安定に保持できることから、空洞部２２の数は、少なくとも２つであることが好ましい。
【００３６】
空洞部２２の突出形状は、台紙１０を重ねたとき載置面２１間に隙間が形成される形状であれば特に限定されない。特に、空洞部２２の強度を大きくする観点では、図１及び図４に示されるように上下方向を軸とする三角柱形状であることが好ましい。
【００３７】
また、図１に示されるように、２つの空洞部２２・２２は、１対の管状部１１・１１における接続部１２側の開口１１ａを避けて覆うように形成されていることが好ましい。これにより、涙道チューブ１は、台紙１０上で、管状部１１の開口１１ａが露出した状態で保持されることになる。それゆえ、使用者は、台紙１０に保持された状態で、例えば涙道チューブ１の開口１１ａへ内視鏡を挿入することが可能になる。したがって、使用者の利便性が向上する。
【００３８】
（空洞部２２）
空洞部２２の構成は、涙道チューブ１の管状部１１を挿通可能な空洞を形成し得る構成であれば、特に限定されない。例えば、空洞部２２は、シート部材２とは別のシート部材により構成され、シート部材２の載置面２１に接着された構成であってもよい。ただし、台紙１０の製造の容易性の観点から、空洞部２２は、シート部材２の折り込み等によって構成されることが好ましい。
【００３９】
図３に示されるように、シート部材２の中央領域に、上下方向に延びるスリット２４が形成されている。また、スリット２４から幅方向の外側へ離間する位置に、折り込み部２５が形成されている。
【００４０】
折り込み部２５は、幅方向に延びる帯状にシート部材２を切り込むことにより形成される。図３に示すように、折り込み部２５は、スリット２４側の端部には切込みが入っていない。これにより、折り込み部２５は、スリット２４と反対側の端部がスリット２４側へ向かって変形可能になる。すなわち、折り込み部２５は、幅方向において、外側から内側へ向かって変形可能である。
【００４１】
折り込み部２５は、谷折り線２５ａ及び２５ｂ、並びに舌部２５ｃを備えている。スリット２４、谷折り線２５ａ、及び谷折り線２５ｂは、互いに平行であり、かつ上下方向において略同じ位置に配置されている。谷折り線２５ａは、折り込み部２５におけるスリット２４側の端部に形成されている。そして、谷折り線２５ｂは、幅方向において、折り込み部２５における舌部２５ｃを除いた部分の略中央に形成されている。舌部２５ｃは、折り込み部２５におけるスリット２４から最も遠い部分に形成されている。舌部２５ｃは、スリット２４に挿入可能な形状を有している。舌部２５ｃの上下方向の大きさは、スリット２４の長さよりも小さくなっている。
【００４２】
空洞部２２は、このような折り込み部２５によって構成されている。より具体的には、折り込み部２５の谷折り線２５ａ及び２５ｂを谷折りし、舌部２５ｃをスリット２４に挿入することにより、三角柱形状の空洞部２２が形成される。図４に示されるように、形成される三角柱形状の空洞部２２は、シート部材２における谷折り線２５ａとスリット２４との間の部分が三角柱形状の一側面を構成している。そして、谷折り線２５ｂが載置面２１から離間した鋭角部分を構成する。また、舌部２５ｃがスリット２４に引っ掛かりスリット２４から外れないようになっていることにより、空洞部２２は、三角柱形状が維持される。
【００４３】
また、涙道チューブ１を適正なＵ字形状に保持する観点では、図３に示すように、折り込み部２５は、シート部材２の中央側へ折り込まれた構成であることが好ましい。このような構成の折り込み部２５を、図３に示すように、線対称になるように２つ形成すると、２つの空洞部２２間の間隔は、スリット２４間の間隔に対応し、比較的小さく設定できる。それゆえ、スリット２４間の間隔を適正な位置に設定することにより、涙道チューブ１を適正なＵ字形状に保持できる。
【００４４】
（支持タブ２３）
図３に示されるように、支持タブ２３は、切込み部２３ｃを有している。支持タブ２３は、折り込み部２５側の端部に切込み部２３ｃが形成されていない。切込み部２３ｃは、折り込み部２５と反対側へ向かって延びた帯形状である。このような構成とすることにより、支持タブ２３は、シート部材２の法線方向に回動可能となる。そして、支持タブ２３により涙道チューブ１の接続部１２を支持することにより、涙道チューブ１の接続部１２は、空洞部２２側への移動が係止され、確実に保持される。
【００４５】
このように、本実施形態に係る台紙１０では、涙道チューブ１の接続部１２を支持する支持部は、シート部材２の切込み部２３ｃを有する支持タブ２３である。このため、１枚のシート部材２の切込み部２３ｃから支持部を形成することができ、台紙１０の製造がより容易になる。
【００４６】
なお、本実施形態に係る台紙１０における支持部は、支持タブ２３に限定されず、涙道チューブ１の接続部１２を支持することができればよい。例えば、前記支持部は、接続部１２をシート部材２に粘着させる粘着テープであってよい。
【００４７】
また、台紙１０を収納する袋体を密封する密封シールによって前記支持部が構成されていてもよい。この場合、袋体の開口側に涙道チューブ１の接続部１２が配置されるように、台紙１０を袋体に収納する。そして、台紙１０が袋体内に収納された状態で、袋体における涙道チューブ１の接続部１２近傍位置にシールすることにより、涙道チューブ１の接続部１２は、台紙１０上の適正位置に支持される。
【００４８】
（変形例１）
本実施形態に係る台紙の構成において、図１に示す構成の変形例について説明する。図５の（ａ）及び（ｂ）は、この変形例１としての台紙１０Ａの概略構成を示し、図５の（ａ）は斜視図であり、図５の（ｂ）は図５の（ａ）のＹ−Ｙ線断面図である。
【００４９】
図５の（ａ）及び（ｂ）に示されるように、台紙１０Ａは、空洞部２２Ａの構成が図１に示す構成と異なる。空洞部２２Ａは、半円筒形状であり、載置面２１に１つ設けられている。台紙１０Ａは、この１つの空洞部２２Ａに、涙道チューブ１の２つの管状部１１・１１が挿通した構成となっている。
【００５０】
また、図５の（ｂ）に示されるように、シート部材２の切込みよって、空洞部２２Ａを構成する折り込み部２６が帯状に形成されている。折り込み部２６は、舌部２６ｃを備えている。舌部２６ｃをスリット２４に挿入することにより、半円筒形状の空洞部２２Ａが形成される。
【００５１】
変形例１の台紙１０Ａでは、スリット２４と折り込み部２６との間隔を適正な位置に設定することにより、涙道チューブ１を適正なＵ字形状に保持できる。それゆえ、涙道チューブ１は、滅菌処理後、台紙１０Ａ上で、通常使用されるＵ字形状で曲げぐせがついた状態で保持されている。
【００５２】
したがって、変形例１の台紙１０Ａを使用しても、涙道チューブ１単体を安定に保持できる。
【００５３】
（変形例２）
本実施形態に係る台紙の構成において、図１に示す構成の他の変形例について説明する。図６の（ａ）及び（ｂ）は、この変形例２としての台紙１０Ｂの概略構成を示し、図６の（ａ）は斜視図であり、図６の（ｂ）は袋体３内部の台紙１０Ｂの概略構成を示す側面図である。
【００５４】
図６の（ａ）及び（ｂ）に示されるように、台紙１０Ｂは、袋体３に収納された状態となっている。そして、台紙１０Ｂは、涙道チューブ１の接続部１２を支持するシール支持部２３Ａを備えた点が図１に示す構成と異なる。なお、台紙１０Ｂは、図５の（ａ）及び（ｂ）に示す空洞部２２Ａを備えた構成である。
【００５５】
袋体３には、台紙１０Ｂを収納するための開口３１が設けられている。変形例２の構成では、涙道チューブ１は、接続部１２の湾曲部分がシート部材２の載置面２１外に配置された状態で、台紙１０Ｂ上に保持されている。そして、台紙１０Ｂは、涙道チューブ１における接続部１２の湾曲部分が開口３１近傍に配置された状態で、袋体３内に収納されている。そして、このような状態で袋体３の開口３１を、例えばラミネーターを用いてシールすることにより、シール支持部２３Ａが形成される。このシール支持部２３Ａにより、涙道チューブ１の接続部１２はＵ字形状の適正位置に支持される。
【００５６】
したがって、変形例２の台紙１０Ｂを使用しても、涙道チューブ１単体を安定に保持できる。
【符号の説明】
【００５７】
１                    涙道チューブ
２                    シート部材
１０、１０Ａ、１０Ｂ    台紙（涙道チューブ保持台紙）
１１                    管状部
１１ａ                  開口（接続部側の開口）
１２                    接続部
２１                    載置面
２２、２２Ａ            空洞部
２３                    支持タブ（支持部）
２３Ａ                  シール支持部
【図１】
2019126671.tif 000003
【図２】
2019126671.tif 000004
【図３】
2019126671.tif 000005
【図４】
2019126671.tif 000006
【図５】
2019126671.tif 000007
【図６】
2019126671.tif 000008